(57)【要約】  【課題】  大入賞手段の開閉扉がその開放中にガイドレール等からの跳ね返り球の衝突等によって閉鎖することのない弾球遊技機を提供する。  【解決手段】  遊技盤１２の前側に向けて開口する入球口４９に対応して設けられ且つその下部側の水平枢軸５１を介して揺動自在に軸支される開閉扉３２と、この開閉扉３２を開閉させる開閉作動手段５８とを備え、開閉作動手段５８は往復移動可能な開閉作動部６６を備え、この開閉作動部６６が開放作動位置から閉鎖作動位置まで移動する際に開閉扉３２の閉鎖係合部６４に係合して、開閉扉３２を閉状態まで揺動させるように構成された弾球遊技機で、開閉扉３２に、開閉作動部６６が開放作動位置で停止している状態で任意の外力により当該開閉扉３２が開状態から閉状態に向けて揺動した場合に、開閉作動部６６に対して往復移動方向と略直交する方向に当接する規制当接部６３を設けたものである。【選択図】  図６
2006130134.tif 000002
【特許請求の範囲】
【請求項１】
遊技盤（１２）の前側に向けて開口する入球口（４９）と、該入球口（４９）に対応して設けられ且つその下部側に配置された水平枢軸（５１）を介して揺動自在に軸支される開閉扉（３２）と、該開閉扉（３２）を、前記入球口（４９）に遊技球が入球可能な開状態と入球不可能な閉状態との間で作動させる開閉作動手段（５８）とを備え、前記開閉作動手段（５８）は、開放作動位置と閉鎖作動位置との間で往復移動可能な開閉作動部（６６）を備え、該開閉作動部（６６）が前記開放作動位置から前記閉鎖作動位置まで移動する際に前記開閉扉（３２）の閉鎖係合部（６４）に係合して、開状態にある前記開閉扉（３２）を閉状態まで揺動させるように構成された弾球遊技機において、前記開閉扉（３２）に、前記開閉作動部（６６）が前記開放作動位置で停止している状態で任意の外力により当該開閉扉（３２）が開状態から閉状態に向けて揺動した場合に、前記開閉作動部（６６）に対して前記往復移動方向と略直交する方向に当接する規制当接部（６３）を設けたことを特徴とする弾球遊技機。
【請求項２】
前記規制当接部（６３）が前記開放作動位置にある前記開閉作動部（６６）に当接したとき、前記開閉扉（３２）は少なくとも前記入球口（４９）に遊技球が入球可能な状態となるように構成されていることを特徴とする請求項１に記載の弾球遊技機。
【請求項３】
前記規制当接部（６３）は、前記開閉作動部（６６）が前記閉鎖作動位置から前記開放作動位置まで移動する際に前記開閉扉（３２）を開放する方向に押圧されるように構成されていることを特徴とする請求項１又は２に記載の弾球遊技機。
【請求項４】
前記開閉作動手段（５８）は、前記開閉作動部（６６）を備えた作動連結部材（９１）と、該作動連結部材（９１）を駆動する駆動手段（７５）とで構成され、前記作動連結部材（９１）は、前記駆動手段（７５）とは別の支持手段（９８）により可動支持されていることを特徴とする請求項１〜３の何れかに記載の弾球遊技機。
【請求項５】
前記作動連結部材（９１）は、前記支持手段（９８）により、前記開閉扉（３２）側の水平枢軸（５１）と平行な回転軸（９３）廻りに揺動可能に支持され、前記開閉作動部（６６）は、前記回転軸（９３）に対する半径方向の突起状に形成され、前記規制当接部（６３）は、前記開閉作動部（６６）に対して前記回転軸（９３）に対する半径方向内向きに当接するように設けられていることを特徴とする請求項４に記載の弾球遊技機。
【請求項６】
前記駆動手段（７５）は電磁ソレノイドにより構成されると共にプランジャ（７８）を前後方向に向けた状態で配置され、前記作動連結部材（９１）には、前記回転軸（９３）の上側又は下側に、前記プランジャ（７８）に対して前後方向に係合する駆動係合部（９４）が設けられていることを特徴とする請求項５に記載の弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機では、遊技球が始動口に入賞することを条件に、乱数抽選に基づいて大当たり判定を行うと共に遊技図柄を変動させ、大当たり判定において大当たりの判定結果が得られた場合には変動後の遊技図柄が大当たり態様で停止した後に大当たり状態（利益状態）が発生して大入賞手段が開放し、遊技者に多大な利益が還元されるように構成されたものが主流となっている。
【０００３】
また、その大入賞手段としては、遊技盤の前側に向けて開口する例えば横長矩形状の入球口と、この入球口に対応して配置され且つその下部側に配置された水平枢軸を介して揺動自在に軸支される開閉扉と、この開閉扉を作動させる開閉作動手段とを備え、大当たり状態が発生したときに、開閉作動手段の作動により開閉扉がその上縁側を前側に倒しつつ入球口を開放して、その上側に落下してきた遊技球を入球口内へと案内するように構成されたものが一般的である。
【０００４】
この種の大入賞手段では、開閉扉は主としてその自重により前側に開放すると共に、開閉作動手段の駆動により閉状態まで移動、保持されるようになっている（例えば特許文献１参照）。
【特許文献１】特開平６−１６５８５１号公報
【発明の開示】
【発明が解決しようとする課題】
【０００５】
このように、従来の大入賞手段では、開閉扉はその自重により開状態に保持されるため、ガイドレールから跳ね返った遊技球が開状態の開閉扉に下側から衝突したような場合には、開閉扉は簡単に閉鎖方向に揺動して、入球口への遊技球の入球を阻害する恐れがあった。特に、最近は遊技領域の中央部分に位置する液晶表示手段やセンター役物等の大型化により、大入賞手段の配置位置が従来にもまして遊技領域の下部側に移動する傾向にあり、今やガイドレールから跳ね返った遊技球が開閉扉を閉鎖する事態は希なケースではない。
【０００６】
本発明は、このような従来の問題点に鑑み、大入賞手段の開閉扉がその開放中にガイドレール等からの跳ね返り球の衝突等によって閉鎖することのない弾球遊技機を提供することを目的とする。
【課題を解決するための手段】
【０００７】
本発明は、遊技盤１２の前側に向けて開口する入球口４９と、該入球口４９に対応して設けられ且つその下部側に配置された水平枢軸５１を介して揺動自在に軸支される開閉扉３２と、該開閉扉３２を、前記入球口４９に遊技球が入球可能な開状態と入球不可能な閉状態との間で作動させる開閉作動手段５８とを備え、前記開閉作動手段５８は、開放作動位置と閉鎖作動位置との間で往復移動可能な開閉作動部６６を備え、該開閉作動部６６が前記開放作動位置から前記閉鎖作動位置まで移動する際に前記開閉扉３２の閉鎖係合部６４に係合して、開状態にある前記開閉扉３２を閉状態まで揺動させるように構成された弾球遊技機において、前記開閉扉３２に、前記開閉作動部６６が前記開放作動位置で停止している状態で任意の外力により当該開閉扉３２が開状態から閉状態に向けて揺動した場合に、前記開閉作動部６６に対して前記往復移動方向と略直交する方向に当接する規制当接部６３を設けたものである。
【発明の効果】
【０００８】
本発明によれば、例えば遊技領域の下部まで落下した遊技球がガイドレールに跳ね返り、開閉扉３２に下側から衝突した場合等であっても、開閉扉３２の閉鎖を確実に防止できる利点がある。
【発明を実施するための最良の形態】
【０００９】
以下、本発明の実施形態を図面に基づいて詳述する。図１〜図８は本発明をパチンコ機として具現化した一実施形態を例示している。遊技機本体１は、矩形状の外枠２の前側に前枠３が開閉自在に枢着された構成となっている。前枠３には、ガラス扉４と前面開閉板５とが窓孔６に対応して上下に配置され、開閉自在に枢支されている。
【００１０】
前面開閉板５の前側には、発射用の遊技球を貯留する上皿７が装着され、上皿カバー８により覆われている。また、１０は余剰球等を貯留する下皿で、前面開閉板５の下側で前枠３の前側に配置され、下皿カバー１１により覆われている。１２は遊技盤で、前枠３の窓孔６に対応するように、前枠３の裏側に設けられた図外の遊技盤装着枠に後側から着脱自在に装着され、窓孔６の下部側で前枠３の裏側に装着された図外の支持板により下側から支持されている。
【００１１】
１３は発射手段で、下皿１０の一側で前枠３の前側に装着された発射ハンドル１４と、支持板の前側に装着された発射レール１５と、前枠３の裏側に配置された発射モータ１６及び打撃槌１７等を備え、発射ハンドル１４を操作したときに発射モータ１６により打撃槌１７が作動して、前面開閉板５の裏側に装着された図外の球送り手段により発射レール１５上に１個ずつ供給される遊技球を遊技盤１２側に発射させるようになっている。
【００１２】
遊技盤１２の前側には、図２に示すように、発射手段１３により発射された遊技球を案内するガイドレール２２が環状に装着されると共に、そのガイドレール２２の内側の遊技領域２３に、液晶表示手段２４、普通図柄始動手段２５、特別図柄始動手段２６、大入賞手段２７、普通入賞手段２８等の各種遊技部品が配置されている。液晶表示手段２４は、遊技領域２３の略中央に配置され、その下側に特別図柄始動手段２６と大入賞手段２７とが上下に配置されている。
【００１３】
液晶表示手段２４は、特別図柄表示手段２９を構成するもので、更にその上部側に普通図柄表示手段３０が設けられている。
【００１４】
普通図柄表示手段３０は、１個又は複数個、例えば１個の普通図柄を表示可能な例えば７セグメント式等の表示手段により構成され、通過ゲート等よりなる普通図柄始動手段２５が遊技球を検出することを条件に普通図柄が所定時間変動して停止するようになっている。
【００１５】
特別図柄始動手段２６は、例えば左右一対の開閉爪３１を備えた電動チューリップ等の開閉入賞手段により構成されており、普通図柄表示手段３０の変動後の停止図柄が予め定められた「７」等の当たり態様となったときに、開閉爪３１を所定時間開放するようになっている。
【００１６】
特別図柄表示手段２９は、１個又は複数個、例えば左右方向に３個の特別図柄を液晶表示手段２４上に変動表示可能に構成され、特別図柄始動手段２６が遊技球を検出することを条件に、各特別図柄を上下方向又は左右方向にスクロールさせる等、所定の変動パターンで所定時間変動させて停止させるようになっている。
【００１７】
特別図柄表示手段２９の変動後の特別図柄が所定の大当たり態様（全て同種図柄となるなどの所定の組み合わせ）となった場合には、大入賞手段２７の開閉扉３２が開放して遊技球が容易に入賞可能な状態となり、遊技者に多大な利益が還元されるようになっている。
【００１８】
大入賞手段２７は、図３〜図８に示すように、前ケース体４１と、後ケース体４２と、内部構造体４３と、開閉扉３２とを備え、遊技盤１２の取り付け孔１２ａに前側から例えば圧入により着脱自在に装着されている。
【００１９】
前ケース体４１は、取り付け孔１２ａの内側に嵌合する前枠体部４４と、この前枠体部４４の前側を覆う前飾り板４５とを例えば一体に備えている。
【００２０】
前枠体部４４は、上下一対の横枠板４４ａ，４４ｂと、左右一対の縦枠板４４ｃ，４４ｄとで取り付け孔１２ａの内面側に沿う略矩形状に形成されており、その前後方向幅は遊技盤１２の厚さと略等しいか若干小さく形成されている。
【００２１】
前飾り板４５は遊技盤１２の盤面に平行な板状で、その周縁部が前枠体部４４の外側に張り出す鍔部４７となっており、その鍔部４７の裏面側には、遊技盤１２の前面側に設けられた位置決め孔に対応する複数の位置決め突起４８が設けられている。大入賞手段２７が遊技盤１２の取り付け孔１２ａに前側から装着されたとき、前飾り板４５の鍔部４７は、位置決め突起４８を遊技盤１２側の位置決め孔に嵌合させた状態で遊技盤１２の前面側に当接するようになっている。
【００２２】
前飾り板４５には、その略中央部分に、遊技盤１２の前側に向けて開口する横長矩形状の入賞口（入球口）４９が形成されており、この入賞口４９に対応してその前側を略塞ぐように開閉扉３２が取り付けられている。入賞口４９は、前枠体部４４の内側に対応して設けられると共にその前枠体部４４よりも上下左右共に小さく形成されており、前枠体部４４の上横枠板４４ａの下側に沿ってその左右方向中央に配置されている。
【００２３】
前飾り板４５の裏面側には、入賞口４９の左右両縁部に沿って前部側壁５０が後方に向けて突設されており、その前部側壁５０の後縁側には、開閉扉３２側の左右の枢軸（水平枢軸）５１を回動自在に軸支する軸受け部５２が、前向き凹入状に形成されている。なお、前部側壁５０の前後方向の幅は、軸受け部５２が形成できる程度、即ち枢軸５１の直径よりも若干大きく形成されている。
【００２４】
開閉扉３２は、入賞口４９を略塞ぐ大きさに形成された横長矩形状の扉本体５５と、この扉本体５５の下部側の左右両端部に突設された一対の枢軸５１と、扉本体５５の側縁部に沿って配置された左右の側板部５６，５７とを例えば一体に備え、枢軸５１が前部側壁５０側の軸受け部５２により回動自在に軸支されている。
【００２５】
開閉扉３２は、後述する開閉作動手段５８の作動により枢軸５１を中心に前後に揺動して、入賞口４９に遊技球が入球可能な開状態と入球不可能な閉状態とに切り換え可能となっている。
【００２６】
扉本体５５は、閉状態（図５参照）のときに入賞口４９の上縁部の下側に沿うように配置される横長状の上縁部５５ａと、同じく閉状態のときに入賞口４９の下縁部の上側に沿うように配置される横長状の下縁部５５ｂと、上縁部５５ａと下縁部５５ｂの後縁側を連結する裏面板５５ｃとで断面略コの字型に形成され、その前面側を塞ぐように装飾シート５９が貼着されている。なお、扉本体５５内には、縦方向のリブが左右方向に複数設けられている。
【００２７】
下縁部５５ｂは、扉本体５５の厚さ方向の幅、即ち開閉扉３２が閉状態のときの前後方向幅が上縁部５５ａよりも大きく形成され、枢軸５１はその下縁部５５ｂの前端側に設けられており、開閉扉３２が閉状態（図５）のとき、扉本体５５の前面側（装飾シート５９の面）が前飾り板４５と略面一となり、開閉扉３２が開状態（図６）のとき、扉本体５５の裏面板５５ｃが後ろ向きの傾斜面を形成して、上側から落下してくる遊技球を受け止めて入賞口４９内に案内するようになっている。なお、扉本体５５の下縁部５５ｂの底面６０は、枢軸５１の略中心を通り且つ扉本体５５の前面側と略直交する平面を形成している。
【００２８】
左右の側板部５６，５７は、扉本体５５の裏面板５５ｃの左右両端側から後ろ向きに突設され、その突出量が扉本体５５の上縁部５５ａ側から下縁部５５ｂ側にむけて徐々に大きくなる略三角形状に形成されており、開閉扉３２が開状態（図６）となったとき、その後縁部５６ａ，５７ａが略水平となるように形成されている。また、それら側板部５６，５７には、後縁部５６ａ，５７ａに沿って外向きの傾斜面６１が形成されており、開閉扉３２が開状態となったとき、側板部５６，５７上に落下した遊技球を扉本体５５の左右両側に案内するようになっている。
【００２９】
それら左右の側板部５６，５７のうちの一方、例えば右側板部５７は、その後側下部が、閉状態のときの扉本体５５に対して後ろ斜め下向きに大きく突出する後方突起部６２となっており、開閉扉３２が開状態となったとき、その後方突起部６２が後述する開放規制板８４に下側から当接して、開閉扉３２の開方向への揺動をその位置で規制するようになっている。
【００３０】
対する左側板部５６の下端側には、扉本体５５の下縁部５５ｂの底面６０から略後ろ向きに延設された規制当接部６３が設けられている。また、左側板部５６の下側には、枢軸５１の下側から後ろ向きの略Ｌ字型に突出する閉鎖係合部６４が一体に設けられており、扉本体５５の下縁部５５ｂの底面６０及び規制当接部６３と、閉鎖係合部６４との間に前向き凹入状の係合凹部６５が形成されている。この係合凹部６５には、その後側に配置される開閉作動手段５８側の開閉作動部６６が係合している。
【００３１】
なお、開閉扉３２が閉状態となったとき、図５に示すように、例えば閉鎖係合部６４の前縁側が、入賞口４９の下部側で前飾り板４５の裏側に当接して、開閉扉３２の閉方向への揺動をその位置で規制するようになっている。
【００３２】
後ケース体４２は、前ケース体４１側の前枠体部４４に対応する後枠体部７１と、その後枠体部７１の後側を略閉鎖する背面部７２と、当該大入賞手段２７を遊技盤１２に固定するための圧入ピン７３と、遊技盤１２の裏側において上側の特別図柄始動手段２６側から落下してきた遊技球を後側に案内する落下球案内部７４とを例えば一体に備えており、前ケース体４１との間に内部構造体４３を挟み込む形で前ケース体４１の後側にネジ止め等により着脱自在に装着されている。
【００３３】
背面部７２には、開閉扉３２側の係合凹部６５の後側に対応する位置に、駆動手段７５を収容する駆動収容部７６が、例えば後ろ向きの膨出状に形成されている。駆動手段７５は、後述する作動連結部材９１と共に開閉作動手段５８を構成するもので、例えば電磁ソレノイドにより構成されている。
【００３４】
背面部７２の前側には、駆動収容部７６の近傍に取り付けボス部７７が設けられており、駆動手段７５は、プランジャ７８を前向き略水平に向け、後部を駆動収容部７６に収容した状態で、取り付けボス部７７の前側に着脱自在に固定されている。なお、駆動手段７５は、ＯＦＦ状態からＯＮ状態に切り換えられたとき、プランジャ７８がバネ７８ａの付勢力に抗して後ろ向きに移動するようになっている。
【００３５】
圧入ピン７３は、大入賞手段２７を遊技盤１２に固定するためのもので、例えば背面部７２の左右両端側から側方斜め前向きに突設された板バネ状に形成され、その前端外側には固定爪７９が一体に設けられている。圧入ピン７３は、当該大入賞手段２７を遊技盤１２に前側から装着する際、内向きに弾性変形した状態で取り付け孔１２ａを後ろ向きに通過すると共に、前飾り板４５が遊技盤１２の前面側に当接して位置決めされたとき、固定爪７９が取り付け孔１２ａの後縁側に圧接して、当該大入賞手段２７を遊技盤１２に固定するようになっている。
【００３６】
内部構造体４３は、当該大入賞手段２７の主な内部構造を構成するもので、遊技盤１２に略平行な区画壁８１を備えている。区画壁８１は、当該大入賞手段２７の内部空間を前後に区画するもので、例えばその周縁部が前ケース体４１側の前枠体部４４と後ケース体４２側の後枠体部７１とで前後方向に挟持されている。
【００３７】
区画壁８１の前面側には、前ケース体４１側の前部側壁５０に対応してその後方に配置された左右一対の後部側壁８２ａ，８２ｂと、それら後部側壁８２ａ，８２ｂの内側に平行に配置された左右一対の内側壁８３ａ，８３ｂとが夫々前向きに突設されている。
【００３８】
後部側壁８２ａ，８２ｂは、その前縁側が前部側壁５０の後縁側に当接しており、これによって軸受け部５２が後側から閉鎖され、開閉扉３２の枢軸５１が軸受け部５２内に保持されている。
【００３９】
内側壁８３ａ，８３ｂは、夫々開閉扉３２の側板部５６，５７の内側近傍に配置されており、その前縁側は開閉扉３２の裏面板５５ｃの後側近傍に臨んでいる。即ち、開閉扉３２の側板部５６，５７は、共に後部側壁８２ａ，８２ｂと内側壁８３ａ，８３ｂとで挟まれた空間内を移動するようになっている。
【００４０】
また、入賞口４９の右側に位置する内側壁８３ｂと後部側壁８２ｂとの間には、開放規制板８４が例えば水平に配置されており、開閉扉３２は、開状態のときに右側板部５７側の後方突起部６２がこの開放規制板８４に下側から当接することにより開方向への揺動が規制されるようになっている。
【００４１】
また、区画壁８１には、左右の内側壁８３ａ，８３ｂよりも内側の所定位置、例えば右側の内側壁８３ｂの内側近傍に、遊技球が通過可能な排出孔８６が形成されている。更に、区画壁８１の前側で且つ内側壁８３ａ，８３ｂ間には、案内ステージ８５が区画壁８１の前面側に沿って左右方向に配置されている。案内ステージ８５は、開閉扉３２により入賞口４９内に案内されてきた遊技球を排出孔８６側に案内するもので、その前縁側が開閉扉３２の下縁部の後側に近接すると共に、排出孔８６の前側（ここでは左右方向の右端側）が最も低い緩やかな傾斜状に形成されている。
【００４２】
更に、排出孔８６の前側の内側壁８３ｂには、案内ステージ８５上を左右方向に流下してきた遊技球を排出孔８６側、即ち後側に誘導する流下誘導部８７が、案内ステージ８５の上流側に向けて突起状に設けられている。この流下誘導部８７は、内側壁８３ｂから案内ステージ８５の上流側への水平突出量が前側から後側に向けて小さくなるように形成されており、案内ステージ８５を流下してきた遊技球は、この流下誘導部８７に誘導されて排出孔８６を後ろ向きに通過するようになっている。
【００４３】
区画壁８１の背面側には、排出孔８６の後側に連通する排出案内通路８８が例えば遊技盤１２の裏面側に沿って下向きに配設され、その排出案内通路８８上には遊技球の通過を検出する入賞検出スイッチ８９が装着されている。排出孔８６を後ろ向きに通過した遊技球は、排出案内通路８８により遊技盤１２の裏側下方に案内されると共に、入賞検出スイッチ８９により検出される。
【００４４】
また、区画壁８１の後方には、駆動手段７５の前側に対応して作動連結部材９１が配置されている。この作動連結部材９１は、駆動手段７５と共に開閉作動手段５８を構成するもので、本体部９２と、この本体部９２の左右両側に突設された一対の枢軸（回転軸）９３と、本体部９２の上側に設けられた駆動係合部９４と、本体部９２から前向きに突設された開閉作動レバー９５とを例えば一体に備え、開閉作動レバー９５の先端側を区画壁８１に設けられた開口部９６を介して前側に突出させた状態で、枢軸９３廻りに揺動自在に支持されている。
【００４５】
開口部９６は、入賞口４９の左側に位置する内側壁８３ａと後部側壁８２ａとの間に対応して縦長状に形成されている。また、区画壁８１の背面側には、例えば開口部９６の左右両側から後ろ向きに一対の前軸受け板９７が突設され、その前軸受け板９７の後縁側に、作動連結部材９１の左右の枢軸９３を回動自在に軸支する軸受け部（支持手段）９８が、前向き凹入状に形成されている。前軸受け板９７の後縁側には、例えば後ケース体４２側の背面部７２から前向きに突設された左右一対の後軸受け板９９の前縁側が当接しており、これによって軸受け部９８が後側から閉鎖され、作動連結部材９１の枢軸９３が軸受け部９８内に保持されている。
【００４６】
なお、軸受け部９８は、軸受け部５２と略同じ高さ位置に設けられている。即ち、開閉扉３２側の枢軸５１と、作動連結部材９１側の枢軸９３とは略同じ高さ位置で前後に平行に配置されている。
【００４７】
作動連結部材９１の本体部９２は、例えば横長状に配置された略四角柱状に形成されており、その上面部９２ａと前面部９２ｂの左右方向中央部分に夫々駆動係合部９４と開閉作動レバー９５とが設けられている。
【００４８】
駆動係合部９４は、本体部９２の上面部９２ａから上向きに突設された前後一対の係合突部１０１，１０２を備え、それら係合突部１０１，１０２間に形成された係合凹部１０３に、プランジャ７８の先端側のフランジ７８ｂが上側から係合している。これにより、駆動手段７５のＯＮ／ＯＦＦに伴うプランジャ７８の前後方向の出退動作が、作動連結部材９１の揺動動作に変換される。なお、係合凹部１０３は、枢軸９３に対する半径方向外向きに開口している。
【００４９】
開閉作動レバー９５は、本体部９２の前面部９２ｂから枢軸９３に対する半径方向外向きに突設され、駆動手段７５の駆動による作動連結部材９１の揺動によって開口部９６内を上下に移動するようになっている。開閉作動レバー９５の先端部は開閉作動部６６となっており、この開閉作動部６６は、駆動手段７５がＯＦＦからＯＮに切り換えられることにより、最も下側の閉鎖作動位置から最も上側の開放作動位置まで移動し、駆動手段７５がＯＮからＯＦＦに切り換えられることにより、開放作動位置から閉鎖作動位置まで移動するようになっている。
【００５０】
また、開閉作動部６６は、例えば縦方向のＲ状に形成されており、開閉扉３２の左側板部５６側下部に設けられた係合凹部６５に後側から係合している。ここで、開閉作動部６６と係合凹部６５との係合位置関係は例えば次のようになっている。
【００５１】
即ち、開閉作動部６６は、開放作動位置にあるときには、図６に示すように、開状態にある開閉扉３２に対して閉鎖係合部６４の上側に当接又は近接すると共に、規制当接部６３の後側に近接するようになっている。また、この状態から開閉扉３２が任意の外力により閉状態に向けて揺動した場合、図７に示すように、規制当接部６３が開閉作動部６６に対して枢軸９３に対する半径方向内向き、即ち開閉作動レバー９５の長手方向に当接するようになっている。
【００５２】
なお、規制当接部６３が開放作動位置にある開閉作動部６６に当接したとき、開閉扉３２は少なくとも入賞口４９に遊技球が入球可能な状態となるように構成されている。
【００５３】
また、開閉作動部６６は、閉鎖作動位置にあるときには、図５に示すように、閉状態にある開閉扉３２に対して、閉鎖係合部６４の上側に当接すると共に、扉本体５５の下縁部５５ｂの底面６０又は規制当接部６３の下側に近接するようになっている。
【００５４】
開閉作動部６６と係合凹部６５との係合位置関係が以上のようになっていることから、駆動手段７５のＯＮ／ＯＦＦによる開閉扉３２の開閉動作は次のようになる。即ち、通常状態では駆動手段７５はＯＦＦとなっており、プランジャ７８はバネ７８ａの付勢により最も前側に突出した状態に保持される。従って、このプランジャ７８により駆動係合部９４が前向きに押された状態となり、これによって作動連結部材９１の開閉作動部６６は最も下側の閉鎖作動位置に保持される（図５）。
【００５５】
このとき、開閉作動部６６は、閉状態にある開閉扉３２に対して、閉鎖係合部６４の上側に当接してその上向きの移動を規制した状態となっており、それによって開閉扉３２は閉状態のまま保持される。
【００５６】
特別図柄表示手段２９の変動後の特別図柄が所定の大当たり態様（全て同種図柄となるなどの所定の組み合わせ）となった場合には、上記のような通常状態から、駆動手段７５がＯＮされ、これによってプランジャ７８がバネ７８ａの付勢力に抗して後ろ向きに移動する。これにより、駆動係合部９４が後ろ向きに押され、作動連結部材９１の開閉作動部６６は最も下側の閉鎖作動位置から開放作動位置まで上向きに移動する。
【００５７】
開閉作動部６６が上向きに移動すると、閉鎖係合部６４に対する上向き移動の規制状態が解除されると共に、その開閉作動部６６によって扉本体５５の下縁部５５ｂの底面６０又は規制当接部６３が上向きに押し上げられ、これをきっかけに開閉扉３２は前向きに揺動を開始する。そして、開閉扉３２が所定位置まで揺動して開状態となったとき、開閉扉３２側の右側板部５７の後方突起部６２が開放規制板８４に下側から当接することにより開方向への揺動が規制されると共に、開閉扉３２の自重によりその状態が保持される（図６）。
【００５８】
このとき、開放作動位置にある開閉作動部６６は、開状態にある開閉扉３２に対して規制当接部６３の後側に近接している。この状態で、例えば遊技領域２３の下部まで落下した遊技球がガイドレール２２に跳ね返り、開閉扉３２に下側から衝突すると、開閉扉３２は閉鎖方向に向けて揺動しようとするが、開閉扉３２側の規制当接部６３が開閉作動部６６に当接して閉鎖方向への揺動が規制され、またその状態でも開閉扉３２は少なくとも入賞口４９に遊技球が入球可能な状態となっているため、遊技者の利益が害されることはない（図７）。
【００５９】
以上説明したように、本実施形態のパチンコ機では、大入賞手段２７の開閉扉３２に、開閉作動部６６が開放作動位置で停止している状態で任意の外力により当該開閉扉３２が開状態から閉状態に向けて揺動した場合に、開閉作動部６６に対して往復移動方向と略直交する方向に当接する規制当接部６３を設けているため、例えば遊技領域２３の下部まで落下した遊技球がガイドレール２２に跳ね返り、開閉扉３２に下側から衝突した場合等であっても、開閉扉３２の閉鎖を防止できる利点がある。
【００６０】
また、規制当接部６３が開放作動位置にある開閉作動部６６に当接したとき、開閉扉３２は少なくとも入賞口４９に遊技球が入球可能な状態となるように構成されているため、開閉扉３２が開状態となるべき期間中については入賞口４９に遊技球が入球可能な状態が保証される。
【００６１】
規制当接部６３は、開閉作動部６６が閉鎖作動位置から開放作動位置まで移動する際に開閉扉３２を開放する方向に押圧されるように構成されているため、閉状態にある開閉扉３２の閉鎖を防止するためだけでなく、開閉扉３２のスムーズな開放動作にも役立つものである。
【００６２】
開閉作動手段５８は、開閉作動部６６を備えた作動連結部材９１と、この作動連結部材９１を駆動する駆動手段７５とで構成され、作動連結部材９１は、駆動手段７５とは別の支持手段９８により可動支持されているため、開閉扉３２に閉鎖方向の外力が加わった場合、その外力は駆動手段７５側に直接伝達されることはなく、駆動手段７５への悪影響を防止できる利点がある。
【００６３】
作動連結部材９１は、軸受け部９８により、開閉扉３２側の水平枢軸５１と平行な枢軸９３廻りに揺動可能に支持され、開閉作動部６６は、枢軸９３に対する半径方向の突起状に形成され、規制当接部６３は、開閉作動部６６に対して枢軸９３に対する半径方向内向きに当接するように設けられているため、開閉扉３２に作用する閉鎖方向の外力が大きくても開閉作動部６６側がそれによって動作してしまうことはなく、開閉扉３２の閉鎖を確実に規制できる利点がある。
【００６４】
駆動手段７５は電磁ソレノイドにより構成されると共にプランジャ７８を前後方向に向けた状態で配置され、作動連結部材９１には、枢軸９３の上側に、プランジャ７８に対して前後方向に係合する駆動係合部９４が設けられているため、入賞口４９、開閉扉３２、駆動手段７５等を備えた大入賞手段２７の上下方向寸法を小さく抑えることができる。
【００６５】
以上、本発明の各実施形態について詳述したが、本発明はこれら各実施形態に限定されるものではなく、本発明の趣旨を逸脱しない範囲で種々の変更が可能である。例えば、開閉作動部６６を駆動手段７５の駆動部に固定的に設けてもよい。駆動手段７５はモータ等により構成してもよい。
【００６６】
実施形態では、開閉作動部６６が閉鎖作動位置から開放作動位置まで移動する際に規制当接部６３が開閉扉３２を開放する方向に押圧し、その後は開閉扉３２は自重により開放するように構成したが、開閉扉３２は、開閉作動部６６の閉鎖作動位置と開放作動位置との間の往復動作に連動して開閉するように構成してもよい。作動連結部材９１は、上下方向等の所定方向にスライド可能に構成してもよい。
【００６７】
なお、実施形態ではパチンコ機を例に挙げて説明したが、アレンジボール機、雀球遊技機等の他の弾球遊技機においても同様に実施可能であることは言うまでもない。
【図面の簡単な説明】
【００６８】
【図１】本発明の一実施形態を示すパチンコ機の正面図である。
【図２】本発明の一実施形態を示す遊技盤の正面図である。
【図３】本発明の一実施形態を示す大入賞手段の平面断面図である。
【図４】本発明の一実施形態を示す大入賞手段の正面断面図である。
【図５】本発明の一実施形態を示す大入賞手段の閉状態での側面断面図である。
【図６】本発明の一実施形態を示す大入賞手段の開状態での側面断面図である。
【図７】本発明の一実施形態を示す大入賞手段の開状態で開閉扉に閉方向の外力が加わった状態での側面断面図である。
【図８】本発明の一実施形態を示す大入賞手段の断面斜視図である。
【符号の説明】
【００６９】
１２  遊技盤
３２  開閉扉
４９  入賞口（入球口）
５１  枢軸（水平枢軸）
５８  開閉作動手段
６３  規制当接部
６４  閉鎖係合部
６６  開閉作動部
７５  駆動手段
７８  プランジャ
９１  作動連結部材
９３  枢軸（回転軸）
９４  駆動係合部
９８  軸受け部（支持手段）
【図１】
2006130134.tif 000003
【図２】
2006130134.tif 000004
【図３】
2006130134.tif 000005
【図４】
2006130134.tif 000006
【図５】
2006130134.tif 000007
【図６】
2006130134.tif 000008
【図７】
2006130134.tif 000009
【図８】
2006130134.tif 000010